(57)【要約】【課題】  簡易な構成の装置により浴室内でミストサウナを実現する。【解決手段】  下方にスクリュー１５を内設した中空の回転体１０を湯Ｗ中に浸漬して回転することにより、回転体内部の下方から上方に向かって湯を汲み上げると共に、この湯を回転体の上方に設けた湯及び空気が通過可能な筒状の散水部１２からミスト状に飛散させ、外気を導入可能な処理室Ｒ１内にミスト雰囲気を形成するミスト発生装置１と、回転体の下端を湯中に浸漬させた状態で上記ミスト発生装置を浴槽に溜めた湯に浮遊させるための浮体２０からなり、湯中に浸漬される回転体の下方の箇所を下端に取水のための開口部１１を設けたドーム形状に構成する。【選択図】      図１
2011010965.tif 000002
【特許請求の範囲】
【請求項１】
下方にスクリューを内設した中空の回転体を湯中に浸漬して回転することにより、回転体内部の下方から上方に向かって湯を汲み上げると共に、この湯を回転体の上方に設けた湯及び空気が通過可能な筒状の散水部からミスト状に飛散させ、外気を導入可能な処理室内にミスト雰囲気を形成するミスト発生装置と、回転体の下端を湯中に浸漬させた状態で上記ミスト発生装置を浴槽に溜めた湯に浮遊させるための浮体からなり、湯中に浸漬される回転体の下方の箇所を下端に取水のための開口部を設けたドーム形状に構成したことを特徴とする浴室用ミストサウナ装置。
【請求項２】
ミスト発生装置の回転体の上方に設けた湯及び空気が通過可能な筒状の散水部からミスト状に飛散させたミストを、さらにこの散水部の周囲に配された湯及び空気が通過可能な筒状のスクリーンに衝突させながらそこを通過させることにより、より細かく砕く請求項１記載の浴室用ミストサウナ装置。
【発明の詳細な説明】
【技術分野】
【０００１】
この発明は、ミストサウナ装置に関し、より詳細には専用のサウナ室を設けず、既存の浴室を利用してサウナ浴を行うための浴室用ミストサウナ装置に関する。
【背景技術】
【０００２】
室内に生成した高温のミスト雰囲気下に身を置くことによってサウナ浴を行うミストサウナが古くから知られている。この場合、専用のサウナ室に代えて浴槽や洗い場を備えた浴室をミストサウナ室として利用する試みもなされている。
【０００３】
浴室をミストサウナ室として利用するに際してはミストの発生装置を浴室の外に設置することが一般的であるが（例えば特許文献１）、その場合は大がかりな工事を要する問題があった。また、ミストの発生装置を浴室内に設置する場合は通常の入浴時に発生装置が邪魔になる問題があった。
【０００４】
前記に関して、目的は浴室内の暖房であるが、浴槽の湯に浮かべられる浮体の下方から湯を吸い込んで上方からミストとして噴射する発明が特許文献２において公知である。よて、これを浴室内のサウナに転用することは当業者にとって容易に想到し得るところである。
【０００５】
一方、在来のミストの粒径が粗いミストサウナに代えて、粒径を可及的に小さくした（約１０ナノ）ミストサウナとすると水濡れ感がなく、しかも気体のマイナスイオンの濃度が高まり、入浴感や健康効果が格段に向上することが実証されている（非特許文献１）。これに関して、限られた装置の大きさで大量の水を飛散させ、しかも飛散されたミストの粒径を可及的に小さくすることをいかに効率よく実現できるかが技術的な課題となる。これを解決する発明として、外気を導入可能な処理室内において、下方にスクリューを内設した筒体を水中に浸漬して回転することにより、筒内の下方から上方に向かって水を汲み上げると共に、この水を筒体の上方に設けた水及び空気が通過可能な筒状の散水部に衝突させながらそこを通過させることによりにミスト状に飛散させ、さらに飛散させたミストをこの散水部の周囲に配された水及び空気が通過可能な筒状のスクリーンに衝突させながらそこを通過させることにより、より細かく砕いてマイナスイオンを含むミスト雰囲気を形成する発明を本願出願人は既に提案している（特許文献３) 。
【０００６】
そこで、前記の浮体のミスト発生装置として、前記特許文献３に記載のものを採用すればより効果的なミストサウナが実現されることとなる。
【０００７】
【特許文献１】特開平１１−１９２２８０号公報
【特許文献２】特開２００２−１９５５９２公報
【特許文献３】特開２００９−６６３８９
【非特許文献１】『コロナナノミストサウナ』を発売（インターネット：ＵＲＬ http://www.corona.co.jp/news/news＿080826.pdf）
【発明の開示】
【発明が解決しようとする課題】
【０００８】
この場合、ミスト発生装置を浮体をもっと湯に浮かしてミストサウナ装置とした場合、ミストサウナ装置は浴槽内に浮遊して自由に移動するので、入浴者の邪魔にならない効果を得られるが、前記の特許文献２に記載の発明のようにポンプからの負圧により湯を強制的に吸い上げる構造と異なり、筒内の下方に存する湯をスクリューで汲み上げる構造なので、浴槽内で急激に横移動すると筒内の湯が途切れて汲み上げが中断するおそれがあった。さらに、湯中に浸漬される筒体が水中を移動した際の抵抗となりミスト発生装置が不用意に傾いて筒内の湯が途切れて汲み上げが中断するおそれもあった。また、入浴者が浴槽から出入りする際の水位の急激な上下によっても同様の現象を生じるおそれがあった。
【課題を解決するための手段】
【０００９】
この発明は以上の問題点を解消した浴室用ミストサウナ装置を提供することを目的として創作されたものであり、下方にスクリューを内設した中空の回転体を湯中に浸漬して回転することにより、回転体内部の下方から上方に向かって湯を汲み上げると共に、この湯を回転体の上方に設けた湯及び空気が通過可能な筒状の散水部からミスト状に飛散させ、外気を導入可能な処理室内にミスト雰囲気を形成するミスト発生装置と、回転体の下端を湯中に浸漬させた状態で上記ミスト発生装置を浴槽に溜めた湯に浮遊させるための浮体からなり、湯中に浸漬される回転体の下方の箇所を下端に取水のための開口部を設けたドーム形状に構成したことを特徴とする。
【００１０】
また、ここでは第２発明としてミスト発生装置の回転体の上方に設けた湯及び空気が通過可能な筒状の散水部からミスト状に飛散させたミストを、さらにこの散水部の周囲に配された湯及び空気が通過可能な筒状のスクリーンに衝突させながらそこを通過させることにより、より細かく砕く浴室用ミストサウナ装置も開示する。
【００１１】
この発明においては、筒体の下方から上方に向かって汲み上げられると共に、回転する筒体の遠心力により上方において周囲に飛散する湯を、湯及び空気が通過可能な筒体からなる散水部に衝突させながらそこを通過させることによりミスト状に砕いて飛散させる。このための散水部の構造として、ここでは下記のものを例示する。
(A) 筒体の外周壁に多数のスリットを設けたもの。
(B) 筒体の外周壁に多数の細孔を設けたもの。
(C) 筒体の外周壁を網目体により構成したもの。
【００１２】
また、第２発明においては、前記の散水部により飛散させたミストを散水部の周囲に配された湯及び空気が通過可能な筒状のスクリーンに衝突させながらそこを通過させることにより、ミストをより細かく砕いてマイナスイオンを含むミスト雰囲気を形成させる。このためのスクリーンの構造として、ここでは下記のものを例示する。
(A) 筒体の外周壁に多数のスリットを設けたもの。
(B) 筒体の外周壁に多数の細孔を設けたもの。
(C) 筒体の外周壁を網目体により構成したもの。
【００１３】
前記のように、この発明においては湯を砕いてミスト状に飛散させる散水部と、散水部からのミストをより細かく砕いて飛散させるスクリーンの構造としてはいくつかのものが想定されるが、発明者らの実験によれば散水部、スクリーン共前記(A) の、外周壁に多数のスリットを設けた構造としたものが、マイナスイオンの発生効果において好成績を得ていることが確認されている。
【発明の効果】
【００１４】
この発明のミストサウナ装置は浮体により浴槽に溜めた湯に浮かせて運転することにより、湯中に浸漬させた回転体の下端から浴槽の湯を吸い上げてミスト生成のための資源とするので、水タンクを別途備える必要がなく、また、加温装置も不要となるので極めてコンパクトで、かつ製造コストが低いミストサウナ装置が実現できる。
【００１５】
前記と同様の理由から、この発明のミストサウナ装置はサウナとして使用しないときは浴槽から取り除くことにより通常の入浴の妨げとならず。また、湯に浮遊しているので浴槽中を自由に移動することができるので、入浴者が浴槽に浸かる場合でも、邪魔にならない場所に動かすことにより浴槽に漬かった状態でサウナ浴を楽しむことが可能となる。
【００１６】
一方、この発明のミストサウナ装置は、湯中に浸漬される回転体の下方の箇所が下端に取水のための開口部を設けたドーム形状に構成され、その結果、回転体の開口部周縁は水平に近い状態に寝ているので（図４参照）、仮に回転体が浴槽内で急激に横移動した場合でも湯は開口部周縁の接線方向から回転体内に流入し、湯が途切れて汲み上げが中断することが防止される効果を得られる。
【００１７】
前記と同様の理由により回転体はドーム面により湯中での抵抗が少なく、急激に移動してもミスト発生装置が不用意に傾いて筒内の湯が途切れて汲み上げが中断することが防止される効果を得られる。
【００１８】
また、第２発明においては散水部の周囲に、それと共に回転する筒状のスクリーンを設けることにより、散水部により先ず湯を粗目のミストに砕いて飛散させ、ついでスクリーンにより、より細かいミストに砕いて飛散させる。その結果、散水部の段階でミストの粒径をより細かくすることを企図する必要がないので、湯が散水部の外周壁をうまく通過できる程度にスリットや細孔の大きさを設定することが可能となり、大量の湯を使用してミストを生成することができる。
【図面の簡単な説明】
【００１９】
【図１】この発明の浴室用ミストサウナ装置の一部切り欠き側面図。
【図２】同上、分解斜視図。
【図３】同上、回転体およびファンの分解斜視図。
【図４】同上、要部の一部切り欠き側面図。
【発明を実施するための最良の形態】
【００２０】
以下、この発明の具体的実施例を添付図面に基づいて説明する。この発明の浴室用ミストサウナ装置は外気を導入可能な処理室Ｒ１内にミスト雰囲気を形成するミスト発生装置１と、上記ミスト発生装置を浴槽に溜めた湯Ｗに浮遊させるための浮体２０からなる。
【００２１】
上記ミスト発生装置１は基板２を上下に貫通して配される内筒３と、基板２の下方に内筒と同心に垂設される外筒２を有し、内筒３の頂部には内筒内に連通する複数個のミスト排出孔４Ａを穿設した蓋が施され、基板２の内筒の貫通箇所の周側には垂設される外筒の内側と貫通される内筒の外側の空間に連通する複数個の外気導入孔２Ａが穿設される。
【００２２】
図中符号２０は浮力を有するドーナツ形状の浮体であり、中央の穴２１に前記のミスト発生装置１の外筒２が挿入されるとともに、上面にミスト発生装置１の基板２が載置されることによりミスト発生装置と組み合わされる。なお、ここでは浮体２０を発泡スチロールとすることにより浮力を得ているが素材はこれに限らず、また、中空状にすることにより浮力を得てもよいことは勿論である。
【００２３】
以上のミスト発生装置１においては基板２の下方から湯面に至る空間と基板の上方から蓋４に至る空間が形成される。下方の空間は湯を汲み上げてミストとして飛散されるための回転体１０が配される処理室Ｒ１として、上方の空間は上記処理室を負圧状態にして外気を外気導入孔２Ａから吸引して処理室内で生成されたミストを排出孔４Ａから排出するための送風羽根５が配される吸気室Ｒ２として機能する。
【００２４】
図３は前記の回転体１０の詳細を示す分解斜視図である。この回転体１０は下方にスクリュー１５を内設し湯中に浸漬して回転することにより、回転体内の下方から上方に向かって湯を汲み上げる。ここでは、回転体１０に貫通固定されるシャフト１４の下端にスクリュー１５を設けることによりスクリューを内設する手段としている。上記シャフト１４は同時に送風羽根５に貫通固定されるものであり、吸気室Ｒ２の蓋４上に配されたモータ６によりシャフトを回転駆動することにより回転体１０および送風羽根を同時に回転させる。
【００２５】
前記の回転体１０の上方には湯及び空気が通過可能な筒状の散水部１２が形成され、さらにこの実施例においては上部をフランジ状の張り出しに形成することによりエンド部材１３を構成する。このエンド部材にスクリーン１６が回転体と同心状に固着される。前記の散水部１２およびスクリーン１６はそれぞれ円筒状のものが同心に配されるが、この実施例では散水部１２は多数のスリット１２Ｓを穿設したものが、スクリーン１６はやはり多数のスリット１２６を穿設したものを採用している。
【００２６】
一方、回転体１０の湯中に浸漬される下方の箇所は下端に取水のための開口部１１を設けたドーム形状に構成される（図４参照）。上記開口部１１は開口部周縁が水平に近い状態に寝るように、すなわち周縁にドーム面を残すように設けられる。
【００２７】
なお、図中符号７はスクリュー１５の回転による湯の渦流により生じるキャビテーションを打ち消すために、内筒３の回転体の１０の下方箇所に垂設されるキャビテーション防止板である。
【００２８】
以上の構成よりなる回転体１０は処理室Ｒ１内で回転することによりスクリュー１５により下方から上方に向かって湯Ｗを汲み上げ、汲み上げた湯Ｗ１を回転体と共に回転する筒状の散水部１２のスリット１２Ｓに衝突、通過させることによりミストＭ１として飛散させ、さらに飛散させたミストＭ１を散水部の周囲に配された筒状のスクリーン１６のスリット１６Ｓに衝突、通過させることにより、より細かいミストＭ２に砕いて飛散させる（図４参照）。一方、回転体１０とともに吸気室Ｒ２内で回転する送風羽根５により、上記処理室Ｒ１内を負圧状態にして外気を外気導入孔２Ａから吸引して処理室内に導入し、前記のミストＭ２で生成されたミストを導入された外気と接触することによりマイナスイオンを含むミスト雰囲気を形成し、これを排出孔４Ａから外部に排出し、浴室内に加温されたミスト雰囲気を形成する。
【符号の説明】
【００２９】
１        ミスト発生装置
３        スクリュー
６        筒体
９        散水部
２０      スリリーン
【図１】
2011010965.tif 000003
【図２】
2011010965.tif 000004
【図３】
2011010965.tif 000005
【図４】
2011010965.tif 000006